(57)【要約】【課題】定着装置の下流側に設けられた排出搬送路から分岐し、記録シートをトナー像が転写される位置の上流側に送り込む両面搬送路を備えた画像形成装置において、搬送路で詰まった記録シートの除去や保守点検の作業を効率よく行う。【解決手段】排出搬送路１７と両面用搬送路１８との分岐付近で、排出搬送路と両面用搬送路との双方に沿って設けられた双方ガイド部材３５が、定着装置１５を支持する本体部と本体部に対して移動する両面搬送ユニット４０（搬送路開閉部）との何れとも脱着可能に設けられる。排出搬送路で紙詰まりが生じたときには、両面搬送ユニットが双方ガイド部材とともに移動して排出搬送路を開放する。両面搬送路の導入部１８ａで紙詰まりが生じたときには、両面搬送ユニットが双方ガイド部材と分離され、双方ガイド部材が本体部に支持された状態で両面搬送ユニットが移動して両面用搬送路の導入部を開放する。【選択図】  図４
2008225275.tif 000002
【特許請求の範囲】
【請求項１】
トナーの選択的な付着によってトナー像を形成し、導入部搬送路を経て搬送された記録媒体上に前記トナー像を転写する画像形成部と、
前記トナー像が転写された記録媒体を加熱及び加圧し、該記録媒体にトナー像を定着する定着装置と、
前記定着装置を通過した記録媒体を、排出部へ搬送する排出搬送路と、
前記排出搬送路から分岐して設けられ、搬送方向が反転された記録媒体が送り込まれて、前記導入部搬送路における前記画像形成部の上流側へ記録媒体を搬送する両面用搬送路と、
前記排出搬送路又は前記両面用搬送路における、前記記録媒体の一方の面と対向するガイド部材を後退移動させてこれらの搬送路を開放する搬送路開閉部とを有し、
前記排出搬送路と前記両面用搬送路との分岐付近で、前記排出搬送路と前記両面用搬送路との双方に沿って設けられた双方ガイド部材が、前記定着装置を支持する本体部と該本体部に対して移動する前記搬送路開閉部との何れとも着脱可能に設けられ、
前記搬送路開閉部が前記双方ガイド部材とともに移動して前記排出搬送路を開放する動作と、前記搬送路開閉部が前記双方ガイド部材と分離され、該双方ガイドが前記本体部に支持された状態で該搬送路開閉部が移動して前記両面用搬送路を開放する動作とを選択的に行うものであることを特徴とする画像形成装置。
【請求項２】
前記搬送路開閉部が前記双方ガイド部材とともに移動する状態と、前記搬送路開閉部から前記双方ガイド部材が分離されて該搬送路開閉部が移動する状態とを、操作者の操作又は記録媒体の存在を検知するセンサの出力に基づいて切り換える切り換え手段を有することを特徴とする請求項１に記載の画像形成装置。
【請求項３】
前記切り換え手段は、前記センサが前記排出搬送路で記録媒体が詰まったことを検知したときには、搬送路開閉部が前記双方ガイド部材とともに移動し、前記両面用搬送路で記録媒体が詰まったことを検知したときには、前記搬送路開閉部が前記双方ガイド部材と分離されて移動するように設定されていることを特徴とする請求項２に記載の画像形成装置。
【請求項４】
前記双方ガイド部材の、搬送される記録媒体の幅方向における両側端部と、前記本体部の、前記双方ガイド部の側端部と対向する位置と、のいずれか一方に、突出状態と後退状態とに動作する係止部材が設けられ、他方には、前記係止部材が突出状態のときに挿入される嵌合穴が設けられ、前記係止部材が突出状態のときに前記双方ガイド部材が、前記本体部に支持され、前記係止部材が後退状態のときに、前記双方ガイド部材が前記本体部と分離可能となることを特徴とする請求項１、請求項２又は請求項３に記載の画像形成装置。
【請求項５】
前記搬送路開閉部に設けられ、該搬送路開閉部が後退移動するときに前記双方ガイド部材の一部を把持して該双方ガイド部材を該搬送路開閉部とともに移動させる把持部を有し、  該把持部は、前記双方ガイド部材と前記搬送路開閉部との間に互いに引き離す方向の所定値以上の力が作用したときに、弾性変形によって該双方ガイド部材の把持を解除するものであることを特徴とする請求項４に記載の画像形成装置。
【発明の詳細な説明】
【技術分野】
【０００１】
本発明は、トナーの選択的な付着によって形成されたトナー像を記録シート上に転写し、加熱及び加圧して記録シート上の定着画像とする画像形成装置に関するものである。
【背景技術】
【０００２】
トナーの付着によって画像を形成する画像形成装置では、搬送される記録シート上にトナー像が転写され、この記録シートを定着装置に送り込んで定着を行う。定着装置は、加熱源を有する加熱部材とこの加熱部材と圧接される加圧部材とを有するものが広く用いられている。加熱部材は無端状の周面を有するものであり、加圧部材との間に記録シートを挟み込んで無端状の周面が周回移動する。これにより記録シート上のトナー像は加熱および加圧され、記録シート上に定着される。そして定着装置から送り出された記録シートは排出搬送路を経て排紙トレイへ送り出される。
【０００３】
このような画像形成装置において、記録シートの搬送路では、記録シートが何らかの障害で搬送できなくなって停止するいわゆる紙詰まりが生じることがある。特に、記録シートの搬送方向における定着装置の下流側では、記録シート上のトナー像が加熱されており、加熱部材への付着等によって紙詰まりが生じ易い。このこのため、記録シートの搬送路は開放が可能とされる。つまり、記録シートの搬送路は、記録シートの両面と対向する位置にガイド部材が設けられ、これらに沿って搬送されるものとなっているが、これらの対向するガイド部材の一方が後退可能となっている。これにより、搬送路で停止している記録シートの除去等を可能とするものである。また、点検等においても、搬送路を開放する必要が生じる。
【０００４】
搬送路の開放は、画像形成装置の本体を収容する外装カバーの一部として設けられた搬送路開閉部を開放することによって行われる。例えば、搬送路が設けられている位置に沿って搬送路開閉部を設け、これを外側へ移動させるものであり、搬送路開閉部に搬送路の片側を構成するガイド部材が支持されている。これにより、搬送路開閉部とともにガイド部材が移動して搬送路を開放するものである。
また、特許文献１に記載されている画像形成装置のように、開閉部を開放した後に、別の動作として搬送路に沿って設けられたバッフル及びバッフル支持体等を搬送路から後退させるもの等が知られている。
【０００５】
一方、画像形成装置は、記録シートの一方の面に画像を形成した後、他方の面にも画像を形成することが可能となっているものが多い。このような両面への画像形成が可能とする装置には、たとえば特許文献２に記載されているように定着装置から送り出された記録シートを排紙トレイに送り出す前に一旦停止し、搬送方向を反転して画像が転写される位置の上流側に送り返すものがある。そして、特許文献２に記載されている装置のように、画像が転写される位置から定着装置を通過して排紙トレイに至る搬送路と並ぶように両面用搬送路が設けられるものでは、これらの搬送路の開放を同じ開閉部からおこなうものとなっている。
【特許文献１】特開２００５−２５７９９４号公報
【特許文献２】特開２００６−６４９７９号公報
【発明の開示】
【発明が解決しようとする課題】
【０００６】
しかしながら、上記のように両面用搬送路が設けられている画像形成装置では、次のような問題点がある。
両面用搬送路に沿った位置に搬送路開閉部を設けると、この搬送路開閉部によって両面用搬送路を開放することができるが、並設された定着装置を通過する搬送路をも上記搬送路開閉部のみの操作だけで開放することは難しい。搬送路開閉部の操作の後に、両面用搬送路と定着装置の下流側の排出搬送路とを隔てているガイド部材等を、搬送路から後退するように移動させる必要がある。たとえば特許文献１に記載されているように、定着装置の下流側に設けられているバッフルやガイド部材を移動させる必要がある。このため二段階の操作が必要となり、紙詰まりの復帰操作が複雑になったり、時間がかかることになる。また、定着装置は高温に加熱されており、定着装置の近くに設けられた部材を把持することができず、操作性が悪くなる。さらに、２段階で部材を移動して搬送路を開放すると、閉じるときの動作の順序を間違えると部材の衝突等が生じ、部材が破損するおそれもある。
【０００７】
本発明は、上記のような事情に鑑みてなされたものであり、その目的は、並設された二つの搬送路の何れについても同じ搬送路開閉部から搬送路を開放することができ、紙詰まり等に迅速に対応することができる画像形成装置を提供することである。
【課題を解決するための手段】
【０００８】
上記課題を解決するために、請求項１に記載の発明は、  トナーの選択的な付着によってトナー像を形成し、導入部搬送路を経て搬送された記録媒体上に前記トナー像を転写する画像形成部と、  前記トナー像が転写された記録媒体を加熱及び加圧し、該記録媒体にトナー像を定着する定着装置と、  前記定着装置を通過した記録媒体を、排出部へ搬送する排出搬送路と、  前記排出搬送路から分岐して設けられ、搬送方向が反転された記録媒体が送り込まれて、前記導入部搬送路における前記画像形成部の上流側へ記録媒体を搬送する両面用搬送路と、  前記排出搬送路又は前記両面用搬送路における、前記記録媒体の一方の面と対向するガイド部材を後退移動させてこれらの搬送路を開放する搬送路開閉部とを有し、  前記排出搬送路と前記両面用搬送路との分岐付近で、前記排出搬送路と前記両面用搬送路との双方に沿って設けられた双方ガイド部材が、前記定着装置を支持する本体部と該本体部に対して移動する前記搬送路開閉部との何れとも着脱可能に設けられ、  前記搬送路開閉部が前記双方ガイド部材とともに移動して前記排出搬送路を開放する動作と、前記搬送路開閉部が前記双方ガイド部材と分離され、該双方ガイドが前記本体部に支持された状態で該搬送路開閉部が移動して前記両面用搬送路を開放する動作とを選択的に行うものである画像形成装置を提供する。
【０００９】
請求項２に係る発明は、請求項１に記載の画像形成装置において、  前記搬送路開閉部が前記双方ガイド部材とともに移動する状態と、前記搬送路開閉部から前記双方ガイド部材が分離されて該搬送路開閉部が移動する状態とを、操作者の操作又は記録媒体の存在を検知するセンサの出力に基づいて切り換える切り換え手段を有するものとする。
【００１０】
請求項３に係る発明は、請求項２に記載の画像形成装置において、  前記切り換え手段は、前記センサが前記排出搬送路で記録媒体が詰まったことを検知したときには、搬送路開閉部が前記双方ガイド部材とともに移動し、前記両面用搬送路で記録媒体が詰まったことを検知したときには、前記搬送路開閉部が前記双方ガイド部材と分離されて移動するように設定されているものとする。
【００１１】
請求項４に係る発明は、請求項１、請求項２又は請求項３に記載の画像形成装置において、  前記双方ガイド部材の、搬送される記録媒体の幅方向における両側端部と、前記本体部の、前記双方ガイド部の側端部と対向する位置と、のいずれか一方に、突出状態と後退状態とに動作する係止部材が設けられ、他方には、前記係止部材が突出状態のときに挿入される嵌合穴が設けられ、前記係止部材が突出状態のときに前記双方ガイド部材が、前記本体部に支持され、前記係止部材が後退状態のときに、前記双方ガイド部材が前記本体部と分離可能となるものとする。
【００１２】
請求項５に係る発明は、請求項４に記載の画像形成装置において、  前記搬送路開閉部に設けられ、該搬送路開閉部が後退移動するときに前記双方ガイド部材の一部を把持して該双方ガイド部材を該搬送路開閉部とともに移動させる把持部を有し、  該把持部は、前記双方ガイド部材と前記搬送路開閉部との間に互いに引き離す方向の所定値以上の力が作用したときに、弾性変形によって該双方ガイド部材の把持を解除するものであるものとする。
【発明の効果】
【００１３】
請求項１に係る発明の画像形成装置では、排出搬送路を開放する場合と両面用搬送路を開放する場合とのいずれについても搬送路開閉部を移動させる動作で搬送路を開放することができる。したがって、迅速にいずれかの搬送路を開放することが可能となる。
【００１４】
請求項２に係る発明の画像形成装置では、紙詰まりの状態や操作者が点検しようとする部位等に応じて搬送路を選択して開放することができる。
【００１５】
請求項３に係る発明の画像形成装置では、紙詰まりが生じた位置に対応して開放する搬送路が切り換えられ、搬送路開閉部を開く動作によって的確に紙詰まりが生じた搬送路が開放される。
【００１６】
請求項４に係る発明の画像形成装置では、記録シートの搬送路と干渉することなく双方ガイド部材を本体部に支持させることができる。また、双方ガイド部材が搬送路開閉部とともに移動するときには容易に本体部による支持を解放することができる。
【００１７】
請求項５に係る画像形成装置では、本体部による双方ガイド部材の支持が解放されているときには搬送路開閉部が双方ガイド部を把持して移動し、双方ガイド部材が本体部に支持されているときには、搬送路開閉部による双方ガイド部材の把持を解放して、双方ガイド部材と分離されて搬送路開閉部が移動する。したがって、簡単な構造で開放する搬送路の切り換えを行うことが可能となる。
【発明を実施するための最良の形態】
【００１８】
以下、本願発明の実施の形態を図に基づいて説明する。
図１は、本発明の一実施形態である画像形成装置を示す概略構成図である。また、図２は、図１に示す画像形成装置の定着装置及び定着装置の下流側における記録シートの搬送路を示す概略図である。
この画像形成装置は、イエロー、マゼンタ、シアン、ブラックのトナー像を形成する４つの画像形成ユニット１０ａ、１０ｂ、１０ｃ、１０ｄを備えている。これらの画像形成ユニット１０のそれぞれと対向するように無端ベルト状の中間転写体１１が支持され、この中間転写体１１の周面が周回移動するものとなっている。そして、各画像形成ユニットが中間転写体１１と対向する位置で、画像形成ユニットで形成されたトナー像を中間転写体１１に一次転写するものとなっている。これらの一次転写位置の下流側には、転写ロール１２が中間転写体１１と対向するように配置されており、対向部にはシートトレイ１３から導入部搬送路１４を経て記録シートが送り込まれ、中間転写体１１から記録シートにトナー像が二次転写されるものとなっている。記録シートの搬送経路における二次転写部の下流側には、トナー像を加熱・加圧して記録シート上にトナー像を圧着する定着装置１５が設けられ、さらに下流側には、トナー像が定着された記録シートを収容する排紙トレイ１６が設けられている。また、定着装置１２から排紙トレイ１６までの排出搬送路１７には、両面用搬送路１８との分岐１９が設けられている。この両面用搬送路１８は、搬送方向が反転された記録シートが送り込まれ、転写ロール１２が設けられた位置の上流側へ搬送するものとなっている。
【００１９】
上記画像形成ユニット１０ａ、１０ｂ、１０ｃ、１０ｄのそれぞれは、表面に静電潜像が形成される感光体ドラム１（像担持体）を有しており、各感光体ドラム１の周囲に、該感光体ドラムの表面をほぼ一様に帯電する帯電装置２と、感光体ドラム上に形成された潜像にトナーを選択的に転移させてトナー像を形成する現像装置３と、感光体ドラム１上のトナー像を中間転写体１１上に一次転写する転写装置４と、転写後の感光体ドラム１に残留したトナーを回収するクリーニング装置５とを備えている。そして、一様に帯電された感光体ドラム１のそれぞれに、画像信号に基づく像光を照射して静電潜像を書き込む露光装置６が設けられている。
【００２０】
上記中間転写体１１は無端状のベルトであり、二つの支持ロール２１，２２に掛け回され、周回駆動されるものである。そして、周回方向における二次転写部の下流側には、クリーニング装置２０が設けられている。このクリーニング装置は、二次転写部で記録シートに転写されずに残留したトナー及び二次転写されないパッチを回収するために、該中間転写体１１と接触するように支持されている。
【００２１】
上記定着装置１５は、加熱源を内蔵した加熱ロール１５ａと、この加熱ロール１５ａに圧接される加圧ロール１５ｂとを備えており、これらが平行に配置されて互いに圧接されるニップ部を形成している。トナー像が転写された記録シートは、上記ニップ部に送り込まれ、回転駆動される加熱ロール１５ａと加圧ロール１５ｂとの間で加熱されるとともに加圧され、軟化したトナーが記録シート上に圧着されるものとなっている。
【００２２】
上記加熱ロール１５ａは、金属製の芯金の周面上に耐熱性ゴム等の弾性体層が形成され、その表面に離型層が形成されたものであり、加熱源としてハロゲンヒーターを内蔵している。加圧ロール１５ｂは、金属製の芯金に表面離型層を被覆したものである。
【００２３】
上記定着装置１５の下流側の排出搬送路１７には、記録シートの搬送ロール３１と、この搬送ロールと圧接され、記録シートを挟み込んで搬送する対向ロール３２と、排紙トレイ１６へ記録シートを送り出す排紙ロール対３３とが設けられている。そして、搬送ロール３１と排紙ロール対３３との間に、記録シートを両面用搬送路１８へ送り込む分岐１９が設けられている。
【００２４】
両面用搬送路１８は、記録シートの両面にトナー像を形成するときに、片面にトナー像が定着された記録シートを転写位置の上流側に搬送するものである。記録シートは搬送方向が逆転されているので再び転写位置に送り込まれたときには、中間転写体１１と対向する面が反転しており、先にトナー像が転写された面の裏面にトナー像を転写できる状態となっている。
【００２５】
この両面用搬送路１８は、図３又は図４に示すように回転支持部４１を中心に回転して画像形成装置の本体から後退する両面搬送ユニット４０に主要部が収容されており、両面搬送路の導入部１８ａが本体側に設けられている。そして、両面用搬送路の導入部１８ａに設けられたガイド部材の片側が上記両面搬送ユニット４０に支持されており、この両面搬送ユニット４０が定着装置１５の下流側にある排出搬送路１７及び両面用搬送路の導入部１８ａを開放するための搬送路開閉部となっている。
【００２６】
両面用搬送路の導入部１８ａには、導入部搬送ロール３４が設けられており、対向ロール３２と圧接されて回転することにより、記録シートを搬送するものとなっている。また、上記排出搬送路１７及び両面用搬送路の導入部１８ａには、それぞれ記録シートを検知する第１のセンサ４２及び第２のセンサ４３が設けられており、紙詰まり等によって記録シートが停止しているときには、これを検知することができるものとなっている。
【００２７】
排出搬送路１７の分岐１９より上流側と両面用搬送路導入部１８ａの分岐より下流側とは、上記対向ロール３２の両側で並設されており、これらの間に設けられた双方ガイド部材３５は、上記対向ロール３２を支持するとともに、双方の搬送路を搬送される記録シートを案内するものとなっている。この双方ガイド部材３５は、搬送路の幅方向における両端部で、本体部から突き出した支持軸３６と、両面搬送ユニット４０から突き出した把持部４４によって支持され、対向ロール３２が搬送ロール３１及び両面搬送路の導入部搬送ロール３４に圧接されることによって所定の位置に保持されるものである。
【００２８】
上記支持軸３６は、図５に示すように、画像形成装置の本体部から記録シートの搬送方向における幅方向に突き出したものであり、双方ガイド部材３５の両端部に設けられた嵌合穴３５ａに挿入されることによって双方ガイド部材３５を支持するものとなっている。そして、この支持軸３６は、ソレノイド３７によって進退可能となっており、突出して嵌合穴３５ａに挿入された状態と、この嵌合穴３５ａから後退して、双方ガイド部材３５の支持を開放した状態とを切り換えることができるものとなっている。
【００２９】
また、両面用搬送路から突き出した上記把持部４４は、先端部分が弾性部材で形成されており、双方ガイド部材３５に固定された円形断面の棒状部材３８に嵌め合わされている。この把持部４４は所定の大きさより大きい力で引っ張ると嵌め合わされた部分の弾性変形によって把持した状態が解放され、図５（ｂ）に示すように把持部４４が双方ガイド部材３５と分離する。また、把持部４４を上記棒状部材３８に強く押し付けると把持部４４の弾性変形によって嵌め合わされるものであり、いわゆるスナップフィットとなっている。これにより、双方ガイド部材３５は両面搬送ユニット４０とも分離可能となっている。
【００３０】
したがって、定着装置１５の下流側の排出搬送路１７を開放するために、両面搬送ユニット４０を本体部から回転させるとき、ソレノイド３７の動作によって支持軸３６が双方ガイド部材３５の嵌合穴３５ａに挿入されていると、双方ガイド部材３５は上記支持軸３６によって本体部に拘束され、把持部４４が棒状部材３８を把持する状態が解放されて、図３に示されるように双方ガイド部材３５が本体部に支持された状態で両面搬送ユニット４０が移動する。また、ソレノイド３７の動作によって支持軸３６が嵌合穴３５ａから後退した状態では、図４又は図５（ｂ）に示すように把持部４４が棒状部材３８を把持した状態で、両面搬送ユニット４０が双方ガイド部材３５とともに移動するものである。
【００３１】
次に、上記画像形成装置の動作について説明する。
中間転写体１１に対向して設けられた４つの画像形成ユニット１０ａ、１０ｂ、１０ｃ、１０ｄで、それぞれ、イエロー、マゼンタ、シアン、黒のトナー像が形成される。トナー像の形成は次のような工程により行われる。
感光体ドラム１がそれぞれ帯電装置２によりほぼ一様に帯電され、露光装置６から画像信号に応じてオンオフされるレーザー光が照射される。これにより光照射された位置の電荷が減衰し、感光体ドラム１上に静電電位の差による潜像が形成される。各感光体ドラム１上の静電潜像は、現像装置３との対向位置においてトナーの転移によって現像され、トナー像が感光体ドラム１上に形成される。
【００３２】
形成された各色トナー像は、転写装置４により中間転写体１１上へ重ね合わせて転写される。これにより、中間転写体１１上に複数色のトナー像が重ね合わされたカラー画像が形成される。中間転写体１１上に形成された複数色のトナー像は、中間転写体１１が転写ロール１２と対向する位置で、シートトレイ１３から搬送された記録シート上に転写され、定着装置１５へ送られる。定着装置の加熱ロール１５ａは、トナー像を定着するのに充分な温度に加熱されており、この加熱ロール１５ａと加圧ロール１５ｂとの間に記録シートが挟み込まれ、トナー像は軟化して記録シート上に圧着される。
【００３３】
定着装置１５を通過した記録シートは、下流側の搬送ロール３１と対向ロール３２との間に挟み込まれ、搬送される。画像を記録シートの片面のみに形成する片面モードが選択されているときには、記録シートが排紙ロール対３３によって排紙トレイに排出される。画像を記録シートの両面に形成する両面モードが選択されているときには、記録シートが排紙ロール対３３に送り込まれ、後端部が排紙ロール対３３に保持されているときに搬送方向が反転され、記録シートは両面用搬送路１８に送り込まれる。そして、両面用搬送路１８から導入部搬送路１４へ送り込まれ、再びトナー像の転写部に送り込まれる。
【００３４】
上記のように搬送される記録シートが定着装置１５の下流側で紙詰まりとなって停止することがある。このとき記録シートが排出搬送路１７に停止しているときには、第１のセンサ４２によって記録シートの存在が検知される。これに基づいてソレノイド３７が支持軸３６を後退させ、双方ガイド部材３５の支持を解放する。この状態で操作者が両面搬送ユニット４０を開くように回転移動させると、図４に示すように双方ガイド部材３５は把持部４４によって把持されて両面搬送ユニット４０ともに移動し、排出搬送路１７が解放された状態となる。これにより排出搬送路１７に停止している記録シートを容易に取り出すことが可能となる。
【００３５】
一方、記録シートが両面用搬送路の導入部１８ａで停止しているときには、第２のセンサ４３によって記録シートの存在が検知される。これに基づいてソレノイド３７は支持軸３６を双方ガイド部材３５の嵌合穴３５ａに挿入された状態を維持する。この状態で操作者が両面搬送ユニット４０を開くように回転移動させると、双方ガイド部材３５は支持軸３６によって本体部に拘束され、両面搬送ユニット４０が開く方向に強く引かれることによって把持部４４が双方ガイド部材の把持を解放する。したがって、図３に示すように双方ガイド部材３５は本体部に支持された状態で両面搬送ユニット４０と分離され、両面搬送ユニット４０のみが回転移動する。これにより、両面用搬送路の導入部１８ａが開放され、停止している記録シートを容易に除去することができる。
【００３６】
なお、上記第１のセンサ４２及び第２のセンサ４３の出力に基づいて動作するソレノイド３７は、第１のセンサ４２及び第２のセンサ４３の出力がディスプレイ等に表示され、これに基づいて操作者が操作するものであってもよいし、第１のセンサ４２及び第２のセンサ４３の出力に基づいてソレノイドが動作するように設定されたものであってもよい。
【図面の簡単な説明】
【００３７】
【図１】本願に係る発明の一実施形態である画像形成装置の構成を示す概略図である。
【図２】図１に示す画像形成装置における排出搬送路及び両面用搬送路の導入部を示す概略図である。
【図３】図１に示す画像形成装置の排出搬送路を開放した状態を示す概略図である。
【図４】図１に示す画像形成装置の両面用搬送路の導入部を開放した状態を示す概略図である。
【図５】図１に示す画像形成装置の双方ガイド部材を拘束する構造を示す概略図である。
【符号の説明】
【００３８】
１：感光体ドラム、    ２：帯電装置、    ３：現像装置、    ４：転写装置、    ５：クリーニング装置、    ６：露光装置、
１０：画像形成ユニット、    １１：中間転写体、    １２：転写ロール、    １３：シートトレイ、    １４：導入部搬送路、    １５：定着装置、    １５ａ：加熱ロール、    １５ｂ：加圧ロール、    １６：排紙トレイ、    １７：排出搬送路、    １８：両面用搬送路、    １８ａ：両面用搬送路の導入部、    １９：排出搬送路と両面用搬送路との分岐、    ２０：クリーニング装置、    ２１、２２：支持ロール、    
３１：搬送ロール、    ３２：対向ロール、    ３３：排紙ロール対、    ３４：導入部搬送ロール、    ３５：双方ガイド部材、    ３６：支持軸、    ３７：ソレノイド、    ３８：棒状部材、
４０：両面搬送ユニット、    ４１：回転支持部、    ４２：第１のセンサ、    ４３：第２のセンサ、    ４４：把持部
【図１】
2008225275.tif 000003
【図２】
2008225275.tif 000004
【図３】
2008225275.tif 000005
【図４】
2008225275.tif 000006
【図５】
2008225275.tif 000007